(57)【要約】【課題】媒体シートの後縁まで一杯に印刷することができ、かつ、サイズが小さく安い費用の両面印刷システムを提供する。【解決手段】媒体シート（３１２）に印刷するプリントヘッド（３０６）を有するインクジェットプリンタ用の両面印刷システムは、前方の両面印刷モジュール（３０２）と、該前方の両面印刷モジュール（３０２）に取り外し可能に接続した後方の両面印刷モジュール（３０４）とを備え、前記前方の両面印刷モジュール（３０２）は、前記媒体シート（３１２）を片面印刷用媒体経路（３２４）に沿って前記プリントヘッド（３０６）に進める第１ローラ組立品（３０８）、および、前記片面印刷用媒体経路に沿って配設され、前記媒体シートを操作するための第２ローラ組立品（３１０）と、を備える。【選択図】  図３A
2005272146.tif 000002
【特許請求の範囲】
【請求項１】
媒体シートに印刷するプリントヘッドを有するインクジェットプリンタ用の両面印刷システムであって、
前方の両面印刷モジュールと、
該前方の両面印刷モジュールに取り外し可能に接続した後方の両面印刷モジュールとを備え、
前記前方の両面印刷モジュールは、前記媒体シートを片面印刷用媒体経路に沿って前記プリントヘッドに進める第１ローラ組立品、および、前記片面印刷用媒体経路に沿って配設され、前記媒体シートを操作するための第２ローラ組立品と、を備えることを特徴とするインクジェットプリンタ用の両面印刷システム。
【請求項２】
前記第１および第２ローラ組立品は、互いに連結して、前記媒体シートを操作する協調制御を可能にすることを特徴とする請求項１に記載のインクジェットプリンタ用の両面印刷システム。
【請求項３】
前記プリントヘッドは、前記第１および第２ローラ組立品の間に配設され、この時、前記第１および第２ローラ組立品の間の間隔は、前記プリントヘッドおよび、該プリントヘッドを動作させる、該プリントヘッドに接続した機械式手段によって要求される空間によって確定されることを特徴とする請求項１に記載のインクジェットプリンタ用の両面印刷システム。
【請求項４】
前記後方の両面印刷モジュールは、
両面印刷用媒体経路と、
前記前方の両面印刷モジュールから前記媒体シートを受け取り、前記両面印刷用媒体経路に沿って前記第１ローラ組立品に前記媒体シートを進める両面用ローラとを備え、
該両面用ローラは、前記両面印刷用媒体経路に沿って前記第２ローラ組立品の下流に配設されることを特徴とする請求項１に記載のインクジェットプリンタ用の両面印刷システム。
【請求項５】
前記前方の両面印刷モジュールは両面印刷用媒体経路の入口をさらに備え、
前記媒体シートは、該媒体シートが裏返るように前記媒体経路の入口を通って前記後方の両面印刷モジュールへと後進することを特徴とする請求項４に記載のインクジェットプリンタ用の両面印刷システム。
【請求項６】
前記第２ローラ組立品は、前記媒体シートを前方向および後方向に進めることが可能であることを特徴とする請求項１に記載のインクジェットプリンタ用の両面印刷システム。
【請求項７】
両面印刷する方法であって、
媒体収容トレイから媒体シートを取り出し、該媒体シートを、媒体経路の入口に沿って第１ローラ組立品に送るステップと、
前記媒体シートの第１面上に印刷するように、前記第１ローラ組立品を用いて、前記媒体シートを片面印刷用媒体経路を介してプリントヘッドに進めるステップと、
前記媒体シートの前記第１面上に印刷することが完了すると、前記媒体シートの第２面上に印刷するように、前記媒体シートを裏返し、前記プリントヘッドに進めるステップとを含むことを特徴とする両面印刷する方法。
【請求項８】
前記媒体シートを前記片面印刷用媒体経路に沿って進めるステップは、
前記プリントヘッドが前記媒体シートの前記第１面に印刷しながら、前記第１ローラ組立品が、前記媒体シートを前記片面印刷用媒体経路に沿って進めることを可能にするステップと、
前記媒体シートの後縁が前記第１ローラ組立品から離れる時に、前記媒体シートを進めるタスクを、前記第１ローラ組立品から第２ローラ組立品に引き継ぐステップとを含み、
前記プリントヘッドは前記第１および第２ローラ組立品の間に配設されることを特徴とする請求項７に記載の両面印刷する方法。
【請求項９】
前記媒体シートを裏返すステップは、
第２ローラ組立品を用いて前記媒体シートの前縁を受け取り、前記媒体シートの後縁が両面印刷用媒体経路の入口領域に達するまで、前記媒体シートを進めるステップと、
前記第２ローラ組立品の回転方向を逆にすることによって、前記印刷済み媒体シートの前記後縁を前記両面印刷用媒体経路の入口に送出するステップと、
前記媒体シートを、前記両面印刷用媒体経路の入口から両面印刷用媒体経路へ、かつ該両面印刷用媒体経路から前記片面印刷用媒体経路へ進めるステップとを含み、
前記両面印刷用媒体経路の出口部分は前記片面印刷用媒体経路と整列することを特徴とする請求項７に記載の両面印刷する方法。
【請求項１０】
前記媒体シートを、前記両面印刷用媒体経路の入口から前記両面印刷用媒体経路へ、かつ該両面印刷用媒体経路から前記片面印刷用媒体経路へ進める前記ステップは、
逆方向に回転する前記第２ローラ組立品を用いて、前記媒体シートを、前記両面印刷用媒体経路の入口から前記両面印刷用媒体経路へ進めるステップと、
前記両面印刷用媒体経路に沿って前記第２ローラ組立品から下流に配設される第３ローラを用いて、前記媒体シートを、前記両面印刷用媒体経路に沿って、かつ、該両面印刷用媒体経路から前記片面印刷用媒体経路へ進ませるステップとを含むことを特徴とする請求項９に記載の両面印刷する方法。
【請求項１１】
前記媒体シートを、前記両面印刷用媒体経路の入口から前記両面印刷用媒体経路へ、かつ該両面印刷用媒体経路から前記片面印刷用媒体経路へ進める前記ステップは、
逆方向に回転する前記第２ローラ組立品を用いて、前記媒体シートを、前記両面印刷用媒体経路の入口から前記両面印刷用媒体経路へ進めるステップと、
転写ローラ組立品を用いて、前記媒体シートを前記両面印刷用媒体経路に沿って進めるステップと、
前記両面印刷用媒体経路に沿って前記転写ローラ組立品から下流に配設される第３ローラを用いて、前記媒体シートを、前記両面印刷用媒体経路に沿って、かつ、該両面印刷用媒体経路から前記片面印刷用媒体経路へ進ませるステップとを含むことを特徴とする請求項９に記載の両面印刷する方法。
【請求項１２】
インクジェットプリンタであって、
媒体シートに印刷するプリントヘッドと、
前方の両面印刷モジュールを備える両面印刷システムと、
前記前方の両面印刷モジュールに取り外し可能に接続した後方の両面印刷モジュールとを備え、
前記前方の両面印刷モジュールは、前記媒体シートを片面印刷用媒体経路に沿って前記プリントヘッドに進める第１ローラ組立品、および、前記片面印刷用媒体経路に沿って配設され、前記媒体シートを操作するための第２ローラ組立品と、を備えることを特徴とするインクジェットプリンタ。
【請求項１３】
前記第１および第２ローラ組立品は、互いに連結して、前記媒体シートを操作する協調制御を可能にすることを特徴とする請求項１２に記載のインクジェットプリンタ。
【請求項１４】
前記プリントヘッドは、前記第１および第２ローラ組立品の間に配設され、この時、前記第１および第２ローラ組立品の間の間隔は、前記プリントヘッドおよび、該プリントヘッドを動作させる、該プリントヘッドに接続した機械式手段によって要求される空間によって確定されることを特徴とする請求項１２に記載のインクジェットプリンタ。
【請求項１５】
前記後方の両面印刷モジュールは、
両面印刷用媒体経路と、
前記前方の両面印刷モジュールから前記媒体シートを受け取り、前記両面印刷用媒体経路に沿って前記第１ローラ組立品に前記媒体シートを進める両面用ローラとを備え、
該両面用ローラは、前記両面印刷用媒体経路に沿って前記第２ローラ組立品から下流に配設されることを特徴とする請求項１２に記載のインクジェットプリンタ。
【請求項１６】
前記前方の両面印刷モジュールは両面印刷用媒体経路の入口をさらに備え、
前記媒体シートは、該媒体シートが裏返るように前記媒体経路の入口を通って前記後方の両面印刷モジュールへと後進することを特徴とする請求項１５に記載のインクジェットプリンタ。
【請求項１７】
前記第２ローラ組立品は、前記媒体シートを前後方向に進めることが可能であることを特徴とする請求項１２に記載のインクジェットプリンタ。
【発明の詳細な説明】
【技術分野】
【０００１】
本発明は包括的には、プリンタ用の両面媒体シートハンドリングシステム（両面印刷用シート操作システム）に関する。特に、本発明は、用紙の下部の余白をゼロにして両面媒体シートに印刷するための、小さなフォームファクタ（形状仕様）を有するインクジェットプリンタ用の両面印刷システムに関する。
【背景技術】
【０００２】
両面印刷（duplex  printing）は印刷システムにおいて望ましい機能である。両面印刷の利点は、一方の面（片面）の印刷（simplex  printing）と比較して、必要な用紙の量を減らすこと、および、専門的に印刷された本のレイアウトに似たレイアウトを有するプリントセットを生成することを含む。最新の両面印刷は通常、インクジェットプリンタなどの印刷システムで使用される２つのタイプの両面印刷システムのうちの１つを用いることによって達成される。２つのタイプの両面印刷システムは、それぞれ図１および図２に示す後方および前方両面印刷システムである。
【０００３】
図１は、インクジェットプリンタ用の従来技術の後方両面印刷システム１００を示す。後方両面印刷システム１００は、両面印刷モジュール１０２、ラインフィードローラ組立品１０４、およびプリントヘッド１０６を含む。後方両面印刷システム１００の全体の動作は、印刷用紙などの媒体シート１１２が、媒体経路の入口１１０を介して送られ、ラインフィードローラ組立品１０４によって受け取られるようなものである。ラインフィードローラ組立品１０４は、その後、媒体シート１１２の第１面上に印刷するために、媒体シート１１２をプリントヘッド１０６に送る。媒体シートの第１面上での印刷が終了すると、ラインフィードローラ組立品１０４は、媒体シート１１２を逆方向に回して、両面印刷モジュール１０２の両面印刷用媒体経路の入口１１４に入れる。媒体シート１１２は、２つのローラ１２０および１２２によって、両面印刷モジュール１０２内の両面印刷用媒体経路１１６を通って送られ、両面印刷用媒体経路の出口１１８を介してラインフィードローラ組立品１０４に戻される。ラインフィードローラ組立品１０４は、その後、媒体シート１１２の第２面上に印刷するために、媒体シート１１２をプリントヘッド１０６に送る。
【０００４】
後方両面印刷モジュール１０２は、両面印刷が必要とされる時だけに装備されることができるが、両面印刷システム１００は、媒体シート１１２の後縁１２４まで一杯に印刷することができない。媒体シート上の印刷不可能な領域の部分は一般に、図１に示すように、「用紙の下部」１０８と呼ばれる。用紙の下部１０８の余白（通常、１０〜１３ミリメートル）は、媒体シート１１８の後縁１２４とプリントヘッド１０６のノズルの第１アレイ（図示せず）との間の距離によって画定される。
【０００５】
前方両面印刷システムは、プリンタのベース内部に通常収容される両面印刷モジュールを有する。そのため、プリンタの全体のサイズまたはフォームファクタ（形状仕様）は、両面印刷モジュールが取り除かれた時でさえ同じままである。前方両面印刷システムは、用紙の下部の制限を解決するが、図２を参照して本明細書で述べる貴重なテーブル空間を無駄にする大きなフォームファクタが問題となる。図２は、インクジェットプリンタ用の従来技術の前方両面印刷システム２００を示す。前方両面印刷システム２００は、両面印刷モジュール２０２、ラインフィードローラ組立品２０４、プリントヘッド２０６、および出力ローラ組立品２０８を含む。媒体シート２１２は、媒体経路の入口２１０を介して送り込まれ、ラインフィードローラ組立品２０４によって受け取られる。ラインフィードローラ組立品２０４は、その後、媒体シート２１２の第１面上に印刷するために、媒体シート２１２をプリントヘッド２０６に送る。
【０００６】
プリントヘッド２０６が印刷する時、媒体シート２１２は、徐々に前に進められ、最終的には、出力ローラ組立品２０８によって受け取られる。媒体シート２１２の第１面上での印刷が終了すると、出力ローラ組立品２０８はさらに、媒体シート２１２の後縁２１８が両面印刷用媒体経路の入口２１４の領域に達するまで、媒体シート２１２を前へ進める。出力ローラ組立品２０８は、その後、回転方向を逆にし、媒体シート２１２を両面印刷用媒体経路の入口２１４内に巻き込む。媒体シート２１２は、両面印刷用媒体経路２１６に沿ってラインフィードローラ組立品２０４に進められ、そこで、媒体シート２１２が受け取られ、その後、媒体シート２１２の第２面上に印刷するために、プリントヘッド２０６に送られる。
【０００７】
前方両面印刷システム２００において、出力ローラ組立品２０８の伝達部品（すなわち、ローラを駆動するギアおよびベルトのセット）は、ラインフィードローラ組立品２０４の伝達部品と連結して、媒体シート２１２の送り精度が維持される。そのため、両面後工程（すなわち、媒体シートを裏返すプロセス）中に、両面前工程中は前縁２２０である、媒体シート２１２の後縁は、媒体シート２１２がさらに、転写ローラ組立品２２２によって両面印刷用媒体経路に沿ってラインフィードローラ組立品２０４に進められる前に、出力ローラ組立品２０８から離れなければならない。これは、２つのローラ組立品２０４および２０８のローラの回転方向が互いに逆方向であるからである。
【０００８】
この要求によって、前方両面印刷システム２００は大きなフォームファクタを有する。フォームファクタは、プリンタが対応するように設計されている媒体シートのサイズによって決まる。たとえば、媒体シートがＡ４サイズである場合、ラインフィードローラ組立品２０４と出力ローラ組立品２０８の間の逆方向両面印刷用媒体経路の長さ（すなわち、両面印刷用媒体経路の入口２１４および両面印刷用媒体経路２１６）は、Ａ４サイズの媒体シートの長さより長くなければならない。しかしながら、ラインフィードローラ組立品２０４と出力ローラ組立品２０８の伝達部品を分離することができる場合、フォームファクタは下がり、出力ローラ組立品２０８で始まって終わる媒体シート経路のループによって制限されるだけであることができる。そのため、ラインフィードローラ組立品２０４と出力ローラ組立品２０８の分離した伝達部品を有するプリンタのフォームファクタ（サイズ）は、より小さいが、依然として、ベースプリンタサイズにかなりの影響を与える。さらに、２つのローラ組立品２０４および２０８の伝達部品を分離することは、難しく、費用がかかる場合がある。
【発明の開示】
【発明が解決しようとする課題】
【０００９】
したがって、先に概説した既存の両面印刷システムの欠点に対処するインクジェットプリンタ用の両面印刷システムを設ける必要性が明らかに存在する。特に、媒体シートの後縁まで一杯に印刷することができ、かつ、サイズが小さく安い費用の両面印刷システムを提供する。
【課題を解決するための手段】
【００１０】
本発明は、媒体シートに印刷するプリントヘッドを有するインクジェットプリンタ用の両面印刷システムを対象とする。両面印刷システムは、前方の両面印刷モジュールと、前方の両面印刷モジュールに取り外し可能に接続した後方両面印刷モジュールとを含む。前方の両面印刷モジュールは、媒体シートを片面印刷用媒体経路に沿ってプリントヘッドに進める第１ローラ組立品、および、片面印刷用媒体経路に沿って配設され、媒体シートを操作するための第２ローラ組立品を含む。
【００１１】
本発明の実施形態は、添付図面を参照して、単に例として、本明細書で述べられる。
【発明を実施するための最良の形態】
【００１２】
実質的に小さなフォームファクタを有するインクジェットプリンタ用の両面印刷システム、および、インクジェットプリンタを用いて、用紙の下部の余白をゼロにして両面で媒体シートに印刷するための方法が以下で述べられる。
【００１３】
一実施形態による両面印刷システム３００が図３Ａに示される。両面印刷システム３００は、前方の両面印刷モジュール３０２、プリントヘッド３０６、および前方の両面印刷モジュール３０２に取り外し可能に接続された後方の両面印刷モジュール３０４を含む。後方両面印刷モジュール３０４は、前方両面印刷モジュール３０２に対して、片面印刷用媒体経路３２４における媒体移動方向に関して、後方又は下流に位置する。前方両面印刷モジュール３０２は、ラインフィードローラ組立品３０８および出力ローラ組立品３１０を含む。ラインフィードローラ組立品３０８は、出力ローラ組立品３１０に連結して、媒体シート３１２を進ませるための協調制御を可能にする。プリントヘッド３０６は、図３Ａに示すように、ラインフィードローラ組立品３０８と出力ローラ組立品３１０との間に配設される。ラインフィードローラ組立品３０８と出力ローラ組立品３１０の間の遠位方向の間隔は、媒体シートの特定の寸法または長さに限定されない。遠位方向間隔は、ラインフィードローラ組立品３０８、プリントヘッド３０６、およびプリントヘッド３０６を動作させるためのプリントヘッド３０６に関連する機械式構造（図示せず）、ならびに出力ローラ組立品３１０を組み立てた機械的制約によって許される限りにおいて小さくなることができる。そのため、前方両面印刷モジュール３０２は、プリンタのフォームファクタを大きなサイズに制約することなく、任意の媒体シートサイズに対応することができる。
【００１４】
前方両面印刷モジュール３０２の典型的な動作は、媒体シート３１２が、媒体シート経路の入口３１４を介してラインフィードローラ組立品３０８に送られるようなものである。ラインフィードローラ組立品３０８は、その後、媒体シート３１２の第１面上に印刷するために、媒体シート３１２を、片面印刷用媒体経路３２４に沿ってプリントヘッド３０６まで前に進ませる。媒体シート３１２の前縁３１６が出力ローラ組立品３１０に達すると、ラインフィードローラ組立品３０８および出力ローラ組立品３１０は、媒体シート３１２を一緒に進める。媒体シート３１２の後縁３１８がラインフィードローラ組立品３０８から離れると、出力ローラ組立品３１０は、媒体シート３１２の第１面上での印刷が終了するまで、媒体シート３１２をさらに３２０のように前に進めるタスクを引き継ぐ。出力およびラインフィードローラ組立品の間で伝達部品がつながらない場合、良好な送り精度を達成するために、２つのローラ組立品３０８および３１０が互いに同期し、媒体シート３１２をほぼ同じ運動プロファイルで進めることを確実にさせる複雑な（少しでも可能であれば）制御が必要とされる。したがって、一実施形態において、２つのローラ組立品３０８および３１０の伝達部品が連結することにより、媒体シート３１２をハンドリング（操作）するための協調制御が可能になる。
【００１５】
媒体シート３１２の第２面上での印刷が必要とされない場合、出力ローラ組立品３１０は、印刷された媒体シート３１２を単に巻き込んでプリンタの排紙トレイ（図示せず）に出す。そのため、プリンタのベース（台座）のサイズは最小にされ、媒体シートの長さに限定されない。しかしながら、両面印刷が必要とされる場合、媒体シート３１２は、以下で述べるように、逆方向両面印刷用媒体経路（すなわち、両面印刷用媒体経路の入口３２６および両面印刷用媒体経路３２８）の中に送り戻される。
【００１６】
後方両面印刷モジュール３０４は、プリンタに容易に取り付けられ、両面印刷機能を可能にするために、前方両面印刷モジュール３０２と共に動作することができる。２つの機械式モジュール間でのこうした取り外し可能な接続手段は、当該技術分野ではよく知られている。後方両面印刷モジュール３０４は、媒体シート３１２を受け取り、両面印刷用媒体経路３２８に沿ってラインフィードローラ組立品３０８に進ませる両面用ローラ３３２を含む。両面印刷用媒体経路３２８の出口部分は片面印刷用媒体経路３２４に整列する。必要な媒体経路長を達成するために、両面用ローラ３３２の数、その直径および位置を変えることが可能である。図３Ｂは、代替の後方両面印刷モジュール３０４の３つの例を示す。
【００１７】
図３Ｂ（ｉ）は、代替の後方両面印刷モジュール３０４Ａを示し、両面用ローラ３３２の位置は、より長い両面印刷用媒体経路３２８Ａを提供するために、ラインフィードローラ組立品３０８からかなり離れて位置する。図３Ｂ（ｉｉ）は、別の代替の後方両面印刷モジュール３０４Ｂを示し、両面用ローラ３３２の直径は、大幅に増加し、したがってその結果、より長い両面印刷用媒体経路３２８Ｂがもたらされる。図３Ｂ（ｉｉｉ）は、さらに別の代替の後方両面印刷モジュール３０４Ｃを示し、２つの両面用ローラ３３２は、より長い両面印刷用媒体経路３２８Ｃを提供するように、互いに隣接して配置される。
【００１８】
図４は、上記で説明した、本発明の両面印刷システム３００を有するインクジェットプリンタを用いた両面印刷のためのフローチャート４００を示す。参照を容易にするために、図３と図４を同時に参照されたい。ステップ４０２にて、媒体シート３１２が媒体収容トレイ（図示せず）から取り出され、媒体経路の入口３１４を介してラインフィードローラ組立品３０８に送られる。ステップ４０４にて、ラインフィードローラ組立品３０８は、媒体シート３１２の第１面上での印刷のために、媒体シート３１２を片面印刷用媒体経路３２４に沿ってプリントヘッドへ進める。ステップ４０４にて、ラインフィードローラ組立品３０８は、３２０のように媒体シート３１２を前に進め続ける。媒体シート３１２の前縁３１６が出力ローラ組立品３１０に達すると、媒体シート３１２は、ラインフィードローラ組立品３０８と出力ローラ組立品３１０の両方によって前進する。
【００１９】
媒体シート３１２の後縁３１８がラインフィードローラ組立品３０８から離れると、出力ローラ組立品３１０は、プリントヘッドが媒体シート３１２の第１面上に印刷する時に、３２０のように媒体シート３１２を前に進めるタスクを引き継ぐ。したがって、出力ローラ組立品３１０が、片面印刷用媒体経路３２４に沿ってプリントヘッド３０６から下流に位置するため、媒体シート３１２の長さの端部に対する印刷が可能になる。
【００２０】
媒体シート３１２の第１面上での印刷が終了し、両面印刷が必要とされないと、出力ローラ組立品３１０は、印刷された媒体シート３１２を巻き込んでプリンタの排紙トレイ（図示せず）に出す。しかしながら、両面印刷が必要とされる場合、媒体シート３１２は、ステップ４０６にて裏返される。
【００２１】
ステップ４０６にて、出力ローラ組立品３１０は、媒体シート３１２の後縁３１８が両面印刷用媒体経路の入口３２６の領域に達するまで、３２０のように媒体シート３１２を前へ進める。出力ローラ組立品３１０は、その後、回転方向を逆にし、印刷された媒体シート３１２を両面印刷用媒体経路の入口３２６内に後に進める３２２。媒体シート３１２が後に進む３２２ため、転写ローラ組立品３４０は、３３２のように媒体シートを両面印刷用媒体経路３２８に沿って両面用ローラに進める。媒体シート３１２が媒体シート３１２の第２面上で印刷されるために裏返された状態で、両面用ローラ３３２は、その後、媒体シート３１２をラインフィードローラ組立品３０８に進める。ステップ４０８にて、媒体シート３１２の第２面が、先に述べた第１面と同じ方法で印刷されると、出力ローラ組立品３１０は、印刷された媒体シート３１２を巻き込んでプリンタの排紙トレイ（図示せず）に出す。
【００２２】
本発明の実施形態が上記で説明されたが、当業者が、当該実施形態に対して他の変更形態および等価形態を作ることができることが予想される。したがって、上記の説明を、添付の特許請求の範囲によって規定される本発明の範囲を制限するものとして考えるべきではない。
【００２３】
本発明は、以下の実施態様を含む。
【００２４】
［実施態様１］媒体シート（３１２）に印刷するプリントヘッド（３０６）を有するインクジェットプリンタ用の両面印刷システムであって、前方の両面印刷モジュール（３０２）と、該前方の両面印刷モジュール（３０２）に取り外し可能に接続した後方の両面印刷モジュール（３０４）とを備え、前記前方の両面印刷モジュール（３０２）は、前記媒体シート（３１２）を片面印刷用媒体経路（３２４）に沿って前記プリントヘッド（３０６）に進める第１ローラ組立品（３０８）、および、前記片面印刷用媒体経路に沿って配設され、前記媒体シートを操作する（前進や後進により移送等する）ための第２ローラ組立品（３１０）と、を備えることを特徴とするインクジェットプリンタ用の両面印刷システム。
【００２５】
［実施態様２]前記第１および第２ローラ組立品（３０８、３１０）は、互いに連結して、前記媒体シートを操作する協調制御を可能にすることを特徴とする実施態様１に記載のインクジェットプリンタ用の両面印刷システム。
【００２６】
［実施態様３]前記プリントヘッドは、前記第１および第２ローラ組立品（３０８、３１０）の間に配設され、この時、前記第１および第２ローラ組立品の間の間隔は、前記プリントヘッドおよび、該プリントヘッドを動作させる、該プリントヘッドに接続した機械式手段によって要求される空間によって確定されることを特徴とする実施態様１に記載のインクジェットプリンタ用の両面印刷システム。
【００２７】
［実施態様４]前記後方の両面印刷モジュール（３０４）は、両面印刷用媒体経路（３２８）と、前記前方の両面印刷モジュールから前記媒体シートを受け取り、前記両面印刷用媒体経路（３２８）に沿って前記第１ローラ組立品（３０８）に前記媒体シートを進める両面用ローラ（３２８）とを備え、該両面用ローラ（３２８）は、前記両面印刷用媒体経路（３２８）に沿って前記第２ローラ組立品（３１０）の下流に配設されることを特徴とする実施態様１に記載のインクジェットプリンタ用の両面印刷システム。
【００２８】
［実施態様５]前記前方の両面印刷モジュールは両面印刷用媒体経路の入口（３２６）をさらに備え、前記媒体シートは、該媒体シートが裏返るように前記媒体経路の入口を通って前記後方の両面印刷モジュールへと後進することを特徴とする実施態様４に記載のインクジェットプリンタ用の両面印刷システム。
【００２９】
［実施態様６]前記第２ローラ組立品は、前記媒体シートを前方向および後方向に進めることが可能であることを特徴とする実施態様１に記載のインクジェットプリンタ用の両面印刷システム。
【００３０】
［実施態様７]両面印刷する方法であって、媒体収容トレイから媒体シート（３１２）を取り出し、該媒体シートを、媒体経路の入口（３１４）に沿って第１ローラ組立品に送るステップと、前記媒体シートの第１面上に印刷するように、前記第１ローラ組立品（３０８）を用いて、前記媒体シートを片面印刷用媒体経路（３２８）を介してプリントヘッド（３０６）に進めるステップと、前記媒体シートの前記第１面上に印刷することが完了すると、前記媒体シートの第２面上に印刷するように、前記媒体シートを裏返し、前記プリントヘッドに進めるステップとを含むことを特徴とする両面印刷する方法。
【００３１】
［実施態様８]前記媒体シートを前記片面印刷用媒体経路に沿って進めるステップは、前記プリントヘッドが前記媒体シートの前記第１面に印刷しながら、前記第１ローラ組立品（３０８）が、前記媒体シートを前記片面印刷用媒体経路（３２４）に沿って進めることを可能にするステップと、前記媒体シートの後縁が前記第１ローラ組立品から離れる時に、前記媒体シートを進めるタスクを、前記第１ローラ組立品から第２ローラ組立品（３１０）に引き継ぐステップとを含み、前記プリントヘッドは前記第１および第２ローラ組立品の間に配設されることを特徴とする実施態様７に記載の両面印刷する方法。
【００３２】
［実施態様９]前記媒体シートを裏返すステップは、第２ローラ組立品を用いて前記媒体シートの前縁（３１６）を受け取り、前記媒体シートの後縁（３１８）が両面印刷用媒体経路の入口領域（３２６）に達するまで、前記媒体シートを進めるステップと、前記第２ローラ組立品の回転方向を逆にすることによって、前記印刷済み媒体シートの前記後縁（３１８）を前記両面印刷用媒体経路の入口（３２６）に送出するステップと、前記媒体シートを、前記両面印刷用媒体経路の入口（３２６）から両面印刷用媒体経路（３２８）へ、かつ該両面印刷用媒体経路から前記片面印刷用媒体経路（３２４）へ進めるステップとを含み、前記両面印刷用媒体経路の出口部分は前記片面印刷用媒体経路と整列することを特徴とする実施態様７に記載の両面印刷する方法。
【００３３】
［実施態様１０]前記媒体シートを、前記両面印刷用媒体経路の入口（３２６）から前記両面印刷用媒体経路（３２８）へ、かつ該両面印刷用媒体経路から前記片面印刷用媒体経路へ進める前記ステップは、逆方向に回転する前記第２ローラ組立品（３１０）を用いて、前記媒体シートを、前記両面印刷用媒体経路の入口から前記両面印刷用媒体経路へ進めるステップと、前記両面印刷用媒体経路に沿って前記第２ローラ組立品から下流に配設される第３ローラ（３３２）を用いて、前記媒体シートを、前記両面印刷用媒体経路に沿って、かつ、該両面印刷用媒体経路から前記片面印刷用媒体経路へ進ませるステップとを含むことを特徴とする実施態様９に記載の両面印刷する方法。
【００３４】
［実施態様１１]前記媒体シートを、前記両面印刷用媒体経路の入口から前記両面印刷用媒体経路へ、かつ該両面印刷用媒体経路から前記片面印刷用媒体経路へ進める前記ステップは、逆方向に回転する前記第２ローラ組立品（３１０）を用いて、前記媒体シートを、前記両面印刷用媒体経路の入口（３２６）から前記両面印刷用媒体経路（３２８）へ進めるステップと、転写ローラ組立品（３４０）を用いて、前記媒体シートを前記両面印刷用媒体経路（３２８）に沿って進めるステップと、前記両面印刷用媒体経路に沿って前記転写ローラ組立品（３４０）から下流に配設される第３ローラ（３３２）を用いて、前記媒体シートを、前記両面印刷用媒体経路に沿って、かつ、該両面印刷用媒体経路から前記片面印刷用媒体経路へ進ませるステップとを含むことを特徴とする実施態様９に記載の両面印刷する方法。
【００３５】
［実施態様１２]インクジェットプリンタであって、媒体シート（３１２）に印刷するプリントヘッド（３０６）と、前方の両面印刷モジュール（３０２）を備える両面印刷システムと、前記前方の両面印刷モジュールに取り外し可能に接続した後方の両面印刷モジュール（３０４）とを備え、前記前方の両面印刷モジュールは、前記媒体シートを片面印刷用媒体経路に沿って前記プリントヘッドに進める第１ローラ組立品（３０８）、および、前記片面印刷用媒体経路に沿って配設され、前記媒体シートを操作するための第２ローラ組立品（３１０）を備えることを特徴とするインクジェットプリンタ。
【００３６】
［実施態様１３]前記第１および第２ローラ組立品（３０８、３１０）は、互いに連結して、前記媒体シートを操作する協調制御を可能にすることを特徴とする実施態様１２に記載のインクジェットプリンタ。
【００３７】
［実施態様１４]前記プリントヘッドは、前記第１および第２ローラ組立品（３０８、３１０）の間に配設され、この時、前記第１および第２ローラ組立品の間の間隔は、前記プリントヘッド（３０６）および、該プリントヘッドを動作させる、該プリントヘッドに接続した機械式手段によって要求される空間によって確定されることを特徴とする実施態様１２に記載のインクジェットプリンタ。
【００３８】
［実施態様１５]前記後方の両面印刷モジュール（３０４）は、両面印刷用媒体経路（３２８）と、前記前方の両面印刷モジュール（３０２）から前記媒体シートを受け取り、前記両面印刷用媒体経路に沿って前記第１ローラ組立品に前記媒体シートを進める両面用ローラ（３３２）とを備え、該両面用ローラ（３３２）は、前記両面印刷用媒体経路に沿って前記第２ローラ組立品から下流に配設されることを特徴とする実施態様１２に記載のインクジェットプリンタ。
【００３９】
［実施態様１６]前記前方の両面印刷モジュールは両面印刷用媒体経路の入口（３２６）をさらに備え、前記媒体シートは、該媒体シートが裏返るように前記媒体経路の入口を通って前記後方の両面印刷モジュールへと後進することを特徴とする実施態様１５に記載のインクジェットプリンタ。
【００４０】
［実施態様１７]前記第２ローラ組立品（３１０）は、前記媒体シートを前後方向に進めることが可能であることを特徴とする実施態様１２に記載のインクジェットプリンタ。
【産業上の利用可能性】
【００４１】
本発明は、インクジェットプリンタ等の両面印刷システムに適用可能である。
【図面の簡単な説明】
【００４２】
【図１】インクジェットプリンタ用の従来技術の後方両面印刷システムの側部断面図である。
【図２】インクジェットプリンタ用の従来技術の前方両面印刷システムの側部断面図である。
【図３Ａ】本発明の一実施形態によるインクジェットプリンタ用の両面印刷システムの側部断面図である。
【図３Ｂ】本発明の一実施形態による図３Ａの両面印刷システムの代替の後方両面印刷モジュールの３つの例の側部断面図である。
【図４】本発明の一実施形態による図３Ａの両面印刷システムを用いた、用紙の下部の余白をゼロにして媒体シートを印刷するためのフローチャートである。
【符号の説明】
【００４３】
３０２  前方の両面印刷モジュール
３０４  後方の両面印刷モジュール
３０６  プリントヘッド
３０８  第１ローラ組立品
３１０  第２ローラ組立品
３１２  媒体シート
３２４  片面印刷用媒体経路
【図１】
2005272146.tif 000003
【図２】
2005272146.tif 000004
【図３Ａ】
2005272146.tif 000005
【図３Ｂ】
2005272146.tif 000006
【図４】
2005272146.tif 000007